(57)【特許請求の範囲】
【請求項１】
接続方向（Ｖ）においてカウンターコネクタ（２）と接続するプラグ型コネクタ（１）であって、
該プラグ型コネクタ（１）が、少なくとも１つの接触要素を有する電気接触具（３）を有し、及びプラグ型コネクタ（１）をカウンターコネクタ（２）に留める少なくとも１つの固定要素（５）を有しており、
固定要素（５）が、接続方向（Ｖ）に対して実質的に横断方向に延在している締付面（６）を有し、プラグ型コネクタ（１）が、固定要素（５）に対して転置可能な固定手段（１０）を有しており、該固定手段（１０）が、プラグ型コネクタ（１）をカウンターコネクタ（２）に固定するように、固定位置（Ｆ）で締付面（６）と当接しており、
固定手段（１０）が、くさび形締付部分（２１）を有しており、くさび形締付部分（２１）を、締付面（６）上に押し込むことができ、くさび形締付部分（２１）の断面が、接続方向（Ｖ）に対して横断方向にテーパーしていることを特徴とするプラグ型コネクタ（１）。
【請求項２】
締付面（６）が、接続方向（Ｖ）と反対に向いていることを特徴とする請求項１に記載のプラグ型コネクタ（１）。
【請求項３】
締付部分（２１）を、締付面（６）上に、接続方向（Ｖ）に対して横断方向に延在している嵌合方向（Ａ）に押し込むことができることを特徴とする請求項１に記載のプラグ型コネクタ（１）。
【請求項４】
接続方向（Ｖ）に延在している収容チャンネル（７）が、固定要素（５）及び締付面（６）を通過して延在していることを特徴とする請求項１〜３のいずれか１項に記載のプラグ型コネクタ(１)。
【請求項５】
固定位置（Ｆ）において、締付部分（２１）が、収容チャンネル（７）を少なくとも部分的に覆うことを特徴とする請求項４に記載のプラグ型コネクタ（１）。
【請求項６】
固定位置（Ｆ）から離れたアセンブリ位置（Ｍ）における締付部分（２１）が、固定位置（Ｆ）にあるときよりも少なく収容チャンネル（７）を覆うか又は全く覆わないことを特徴とする請求項４又は５に記載のプラグ型コネクタ（１）。
【請求項７】
固定手段（１０）が、アセンブリ開口（１９）を有しており、固定手段（１０）の固定位置（Ｆ）における収容チャンネル（７）が、アセンブリ開口（１９）を通過して少なくとも部分的に延在していることを特徴とする請求項１〜６のいずれか１項に記載のプラグ型コネクタ（１）。
【請求項８】
嵌合方向（Ａ）に向いているアセンブリ開口（１９）の末端（２０）が、広がるように形成されていることを特徴とする請求項７に記載のプラグ型コネクタ（１）。
【請求項９】
固定手段（１０）が、転置可能に及び着脱不能に固定要素（５）に接続されていることを特徴とする請求項１〜８のいずれか１項に記載のプラグ型コネクタ（１）。
【請求項１０】
プラグ型コネクタ（１）が、複数の固定要素（５）を有しており、該固定要素が、正三角形の角に配置されており、固定手段（１０）を、該固定要素の締付面（６）上に、異なる嵌合方向（Ａ）に押し込むことができ、嵌合方向（Ａ）が、三角形内において向かい合う方向に又は共通点に向かって配向していることを特徴とする請求項１〜９のいずれか１項に記載のプラグ型コネクタ（１）。
【請求項１１】
接続方向（Ｖ）に対に請求項１〜１０のいずれか１項に記載のプラグ型コネクタ（１）と接続するカウンターコネクタ（２）であって、
該コネクタ（２）が、少なくとも１つの接触要素を有する電気接触具（４）を有し、及びカウンターコネクタ（２）をプラグ型コネクタ（１）に留める少なくとも１つの固定要素（１１）を有しており、
固定要素（１１）が、カウンターコネクタ（２）をプラグ型コネクタ（１）に留めるように、接続方向（Ｖ）に対して実質的に横断方向に延在している締付面（１３）を有することを特徴とするカウンターコネクタ（２）。
【請求項１２】
固定要素（１１）が、アンダーカット（１２）を有し接続方向（Ｖ）に延在している固定部材として、形成されており、締付面（１３）が、接続方向（Ｖ）に向くようにアンダーカット（１２）上に配置されていることを特徴とする請求項１１に記載のカウンターコネクタ（２）。
【請求項１３】
接触位置（Ｐ）において接続方向（Ｖ）に一体結合されている少なくとも１つのプラグ型コネクタ（１）及び少なくとも１つのカウンターコネクタ（２）を有するプラグ型コネクタアレンジメント（２９）であって、
プラグ型コネクタ（１）及びカウンターコネクタ（２）が、プラグ型接続を留める固定要素（５，１１）を有しており、
固定要素（５，１１）が、締付面（６，１３）を有して形成されており、該締付面（６，１３）が、接続方向（Ｖ）に対して横断方向に延在し、向かい合うように配向しており、プラグ型コネクタアレンジメント（２９）が、固定位置（Ｆ）において締付面（６，１３）の間に締め付けられる固定手段（１０）を有しており、
固定手段（１０）が、くさび形締付部分（２１）を有しており、くさび形締付部分（２１）を、締付面上に押し込むことができ、くさび形締付部分（２１）の断面が、接続方向（Ｖ）に対して横断方向にテーパーしていることを特徴とするプラグ型コネクタアレンジメント（２９）。
【請求項１４】
固定位置（Ｆ）において締付面（６，１３）の間に配置される固定手段（１０）の一部分が、固定手段（１０）が固定位置から離れた位置にあるときよりも、接続方向（Ｖ）において厚いことを特徴とする、請求項１３に記載のプラグ型コネクタアレンジメント（２９）。
【発明の詳細な説明】
【技術分野】
【０００１】
本発明は、接続方向においてカウンターコネクタに接続するプラグ型コネクタに関し、該プラグ型コネクタは、少なくとも１つの接触要素を有する電気接触具を有し、プラグ型コネクタをカウンターコネクタに固定する少なくとも１つの固定要素を有する。本発明は、接続方向に対に、プラグ型コネクタ、とりわけ、本発明に係るプラグ型コネクタに接続するカウンターコネクタに更に関し、該カウンターコネクタは、少なくとも１つの接触要素を有する電気接触具を有し、カウンターコネクタをプラグ型コネクタに固定する少なくとも１つの固定要素を有する。本発明は、接触位置において接続方向に一体結合されている少なくとも１つのプラグ型コネクタ及び少なくとも１つのカウンターコネクタを有するプラグ型コネクタアレンジメントに更に関し、プラグ型コネクタ及びカウンターコネクタは、それらのプラグ型接続を固定する固定要素を有する。
【背景技術】
【０００２】
２つのコネクタのプラグ型接続を互いに固定する固定要素を有するプラグ型コネクタ及びカウンターコネクタが、一般的に既知である。固定若しくはネジ式接続、又はプラグ型コネクタをカウンターコネクタに固定する位置合わせピン及び位置合わせ孔を有する接続が、頻繁に用いられている。
【発明の概要】
【本発明が解決しようとする課題】
【０００３】
しかしながら、接触具に関する又は互いに関連する固定要素の位置の許容差は、互いに関連する２つのコネクタのプラグ型接続又は位置の信頼性を悪化し得る望ましくない機械的張力をもたらし得る。更に、位置の許容差は、接触具のプラグ型接続の包囲（密閉）を不可能にし得る、固定要素により決定される２つのコネクタの相対的位置、又はカウンターコネクタに関して重複して決定されるプラグ型コネクタの位置をもさえもたらす。
【課題を解決するための手段】
【０００４】
従って、本発明の目的は、プラグ型コネクタ、カウンターコネクタ及びプラグ型コネクタアレンジメントを提供し、その固定要素が、プラグ型接続を損傷させる固定要素の位置許容差なしに、プラグ型コネクタ及びカウンターコネクタを互いに固定することである。
【０００５】
導入部で記載したプラグ型コネクタにおいて、固定要素が接続方向に対して実質的に横断方向に延在している締付面を有しており、プラグ型コネクタが固定要素に対して転置可能な固定手段を有しており、固定手段が、固定位置においてプラグ型コネクタをカウンターコネクタに固定するように締付面と当接している点で、目的が達成される。導入部で記載したカウンターコネクタにおいて、固定要素が、カウンターコネクタをプラグ型コネクタに固定するために接続方向に対して実質的に横断方向に延在している締付面を有する点で、目的が達成される。導入で記載したプラグ型コネクタアレンジメントにおいて、固定手段が、締付面を有して形成されており、該締付面が、接続方向に対して横断方向に延在し、向かい合う方向に配向されており、プラグ型コネクタアレンジメントが、固定位置で締付面の間に締付されている固定手段を有する点で、目的が達成される。
締付面を接続方向に対して横断方向に配向することに起因して及び固定手段を用いて締付面を互いに非ポジティブロック接続する（non-positive-locking connection）ことに起因して、力は、プラグ型接続を実質的に損傷させないように接続方向に、及びその方向に対して横断方向に吸収及び消失される。従って、互いに関連した２つのコネクタの位置は、接触具により実質的に決定でき、位置は、また、固定手段又はそこに作用する力により、悪影響を受ける。接触具を互いに接触させる前に、間違った位置に置かれ得る固定要素により妨害されないで分解した状態で互いに接触具を配置できるように、２つのコネクタは、相互に作用する固定要素によって浮遊状態で互いに支持される。
【０００６】
本発明に係る解決策は、それ自体が好都合であり所望のように互いに組み合わしてよい様々な構成によって、更に改善され得る。これらの構成及びそれらに伴う利点が、以下に示され、構造的な評価及びその効果が、１つのプラグ型コネクタ及び１つのカウンターコネクタのみを有するプラグ型コネクタアレンジメントについての例を用いて、単に記載される。当然に、それぞれのプラグ型コネクタ及びそれぞれのカウンターコネクタは、複数の接触具を有してよく、プラグ型コネクタアレンジメントは、１つより多くのプラグ型コネクタ及び１つより多くのカウンターコネクタを含んでよい。
【０００７】
第１の好都合な構成において、プラグ型コネクタの締付面は、接続方向と反対に配向されてよく、カウンターコネクタの締付面は、接続方向に配向されてよい。プラグ型コネクタ及びカウンターコネクタの組み立てた状態では、締付面は、接続方向に互いに空間を置くように配置されてよく、向かい合う方向に向いているときに共通の締付隙間に隣接してよい。固定手段は、この締付隙間内に圧入でき、それにより、２つのコネクタは、接続方向に対して横断方向に大きな力が生じずに互いに固定される。２つのコネクタの固定手段の締付面との得られる摩擦係合接続に起因して、互いにコネクタの位置を変えようとする力は、それらの力が作用する方向にかかわらずに吸収及び消失される。
【０００８】
カウンターコネクタの固定要素は、接続方向に延在しており締付面上に設けられている固定部材として、構成されてよい。２つのコネクタが組み立てられた状態にあるときに、締付面が接続方向に対して横断方向に延在している締付隙間を境界付けるように、プラグ型コネクタの締付面を越えて接続方向と反対に、固定部材が突出してよい。締付面が、接続方向に対して横断方向に互いに可能な限り接近して配置されるように又は接続方向に互いに重なり得るように、固定部材のアンダーカット上に、締付面が配置されてよい。
【０００９】
接続部材が、例えば、接続方向と反対に延在しているピンとして構成されてよく、アンダーカットが、凹部又は突出として構成されてよい。とりわけ、ピンは、固定部材の自由末端に配置してよい締付頭を有してよい。従って、固定部材は、例えば、キノコのような固定ピンとして構成されてよく、接続方向と反対に向いた該固定ピンの自由末端上に、締付頭が設けられている。とりわけ、締付頭の直径は、プラグ型コネクタの固定要素と相互作用する固定部材の残りの部分の直径よりも、接続方向に対して横断方向に大きい。
【００１０】
カウンターコネクタの締付面と向かい合っており接続方向と反対に配向されている締付頭の上側面は、傾斜案内部材を有して構成されてよく、２つのコネクタが一体結合される場合に、プラグ型コネクタの固定要素を案内できる。従って、接続作業の間にコネクタが動かなくなること又は互いに関連して正しい位置からずれることが防がれ、２つのコネクタの接触具が、少なくとも大まかに事前配置されている。この様式で構成されているカウンターコネクタの固定要素は、例えば、パンチされ、プレスされ又は射出成形された部品として、簡易な及び費用効率の高い様式で製造できるという利点を更に有する。
【００１１】
固定位置で２つのコネクタの隣接締付面の間に配置される固定手段の部分は、固定手段が固定部分から離れた位置にあるときに締付面の間に位置する部分よりも、接続方向に薄くてよい。固定手段を簡単な様式で締付隙間に挿入でき、それにもかかわらず所望レベルで締付力を達成できるように、固定手段は、例えば、くさび形締付部分を有してよい。固定手段を締付隙間内に圧入する場合に、締付隙間内にまず圧入される締付部分の一部が、締付隙間の幅よりも、接続方向と平行に小さい肉厚を有してよい。締付隙間内に次に圧入される締付部分の一部は、より大きい肉厚を有してよく、この一部の肉厚が、少なくとも締付隙間の幅に一致すること又は更に幅よりもわずかに大きいことが可能である。従って、固定手段は、締付隙間内に容易に配置でき、ポジティブロック締付接続が、締付隙間内に更に挿入される締付部分によって、もたらされ得る。
【００１２】
とりわけ接続方向に対して横断方向において、締付部分を締付面上に押し込むことができ、締付部分の断面は接続方向に対して横断方向にテーパー状を有し得る。締付部分は、とりわけプラグ型コネクタの締付面上に平面的に置かれてよい。従って、力ピークによりもたらされる固定要素又は固定手段の過負荷の発生が防止される。プラグ型コネクタの締付面から離れるように向いた固定手段の上側面が、接続方向に対して横断する通路にわたってプラグ型コネクタの締付面から離れるように延在した締付傾斜として構成されてよい。このような固定手段は、例えば、射出成形により、簡易かつ費用効率の高い様式で製造できる。
【００１３】
接続方向に対して横断方向に延在する嵌合方向において、締付部分を締付面上に押し込むことができる。例えば、まず、締付部分を嵌合方向に締付面上に押し込むことができ、次いで、締付方向に締付隙間内に圧入できる。嵌合方向及び締付方向は、両方とも、接続方向に対して横断方向に（適用可能な場合に、互いに垂直に）延在してよい。とりわけ好都合な構成（それを容易に取り扱うことができるので）において、位置及び締付方向は同じであってよい。結果として、互いに関連したコネクタの位置は、単に固定手段を別個の固定要素上に押し込むことによって、望ましくない転置に対して保護され得る。
【００１４】
プラグ型コネクタ及びカウンターコネクタの組み立てが少なくとも部分的に案内され得るように、カウンターコネクタの固定要素のための収容チャンネルがプラグ型コネクタの固定要素を通過して延在してよい。とりわけ、接続方向に対して横断方向におけるコネクタのおおよその互いの位置許容差を防止するように、収容チャンネルは接続方向に延在していてよい。収容チャンネルは、カウンターコネクタの固定要素が収容チャンネル内に容易に挿入できる寸法にされてよい。とりわけ、接続方向に対して横断する収容チャンネルの幅は、固定部材の部分の最大程度よりも大きくてよく、該固定部材は、コネクタを組み立てるときに収容チャンネル内に導入される。したがって、コネクタは、固定要素によって浮遊状態で互いに対して支持されてよい。
【００１５】
収容チャンネルは、締付面を通過して延在してよい又はそこで開いて（又は開口して）よい。とりわけ、収容チャンネルは、固定要素によって接続方向に連続的に案内され得る。とりわけ、カウンターコネクタのピンのような又はキノコのような固定要素は、簡単な様式で収容チャンネルに挿入され得る。収容チャンネルは、１つの側面において接続方向に対して横断方向に開いてよく又は完全に閉じてよく、すなわち、管状に形成されてよい。１つの側面において開いている収容チャンネルの構成は、接続方向に対して横断方向へのコネクタの相対的に大きい動きが可能なので、プラグ型コネクタアレンジメントの組み立てを簡易化できる。しかしながら、この相対的に大きい動き自由度は、最適に互いに予め配置されないコネクタの接触具をもたらし得る。この問題は、収容チャンネルの管状構成によって防止され得る。
【００１６】
収容チャンネルを通過してカウンターコネクタの固定要素を動かすことができるように、その締付面は、収容チャンネルの幅よりも小さく形成すべきである。これは、コネクタが組み立てた状態であるときに２つのコネクタの締付面が向かい合う方向に向くけれども、該締付面は接続方向に互いに重なっていないという事実をもたらし得る。締付隙間は、接続方向に、又は接続方向と反対に、少なくとも１つの側面で開いている。それにもかかわらず、締付部分が非ポジティブロック様式で互いに重なっていない締付面と一体に接触できるように、締付部分は、その固定位置で収容チャンネルを少なくとも部分的に覆うことができる。とりわけ、締付部分がその固定位置において２つの隣接締付面の間で収容チャンネルを繋ぐように又は接続方向において両方の締付面を覆ってそれらと当接するように、締付部分が、収容チャンネル内にかなり突出している。
【００１７】
別の好都合な構成では、固定手段は、それが２つのコネクタを一体結合できる様式で、アセンブリ位置においてプラグ型コネクタに嵌合され得る。とりわけ、固定手段は、プラグ型コネクタの固定要素に転置可能及び脱着不能に接続でき、固定手段は、アセンブリ位置においてプラグ型コネクタの固定要素に嵌合できる。従って、プラグ型コネクタアレンジメントの組み立てが実質的に簡易化される。アセンブリ位置では、固定手段は、コネクタの簡単な組み立てを可能にする。
【００１８】
例えば、固定手段は、アセンブリ位置では固定要素に係止され得る。係止接続は、固定手段の他の位置でも好都合であり得るので、固定手段及び固定要素は、接続方向に対して横断方向に互いに空間が置かれた異なる係止位置を可能にする。例えば、固定手段の係止要素と相互作用するプラグ型コネクタの固定要素の係止領域は、接続方向に対して横断方向に並んで配置されている複数の係止段を有してよい。固定手段を固定要素に係止することは、その固定位置において固定手段の位置を追加的に固定することができる。プラグ型コネクタ又はカウンターコネクタの位置又は寸法の許容差は、対応する寸法の係止段によって吸収できる。
【００１９】
接続方向に対して横断方向に、例えば、嵌合方向と反対にその固定位置から距離を置いて配置されてよい固定手段のアセンブリ位置において、締付部分は、固定位置にあるときよりも少なく収容チャンネルを覆ってよいか又は全く覆わなくてよい。締付部分が収容チャンネル内に、より少ない程度突出するという事実に起因して、カウンターコネクタの固定要素は、固定手段とぶつからずに収容チャンネル内に挿入され得る。
【００２０】
実行可能な最も対象的な様式で締付力を吸収及び消失し得るように、固定手段は、締付部分内に突出してよい２つの締付部材を有して構成されてよい。固定手段は、アセンブリ開口を有してよく、固定チャンネル（又は固定管、固定溝）は、固定手段の固定位置で該アセンブリ開口を通過して少なくとも部分的に延在している。アセンブリ開口は、接続方向に対して横断方向に、締付部材により境界付けることができ、締付部分を少なくとも部分的に通過して延在してよい。締付部材は、締付部分の締付プレートの一部であってよく、アセンブリ開口は、締付プレートを通過して延在することができる。固定手段のこのような構成は、プラグ型コネクタにおけるその組み立てを簡易化し、締付部分の安定性をとりわけ増加する。
【００２１】
固定手段がカウンターコネクタの固定要素とぶつからずに、プラグ型コネクタアレンジメントの既に組み立てたコネクタ上に、固定手段を配置できるように、嵌合方向に向いたアセンブリ開口の末端が、広がるように形成されてよい。
【００２２】
アセンブリ開口の幅は、締付方向に又は嵌合方向に拡張でき、アセンブリ開口は、並んで配置されてよいアセンブリ凹部及び締付凹部を有して形成されてよい。アセンブリ凹部の幅は、固定手段が接続方向に通過するのを可能にする。とりわけ、アセンブリ凹部は、締付方向に又は嵌合方向において締付凹部の上流に配置でき、固定手段の簡単な嵌合は、プラグ型コネクタの既に組み立てた状態において、接触具を互いに接続する場合に可能である。
【００２３】
とりわけ、締付凹部はＵ形状で構成されてよく、締付凹部の締付部材は、締付縁として構成されてよく、該縁は、締付部分によって囲まれており、締付部材の一部であってよい。
【００２４】
固定手段の安定性を更に増加してその機能性を改善するように、固定手段は、固定ブロックとして構成されてよい。固定ブロックは、箱状であってよく、少なくとも１つの開口末端とともに構成されてよく、該開口末端は、それが固定要素と嵌合できるように嵌合方向に配向されている。締付プレートと、締付プレートと向かい合った下側プレートとの両方は、アセンブリ開口を有して設けられてよく、アセンブリ開口は、接続方向に互いに一直線に（位置調整）できる。とりわけ、締付プレート及び向かい合う下側プレートは、同じように形成されてよい。これは、固定手段の組み立てを簡易化する。なぜなら、その機能が、どちらのプレートが接続方向に向いており締付隙間内に導入されるのかに、もはや依存しないからである。締付プレートに対して横断方向に延在する横方向プレートは、とりわけ、嵌合方向に向くその末端に少なくとも１つの係止要素を有して設けられてよい。
【００２５】
２つのコネクタを互いに単一点固定することは、プラグ型接続に対して向く力を永久に受けて、プラグ型コネクタの望ましくない解放（又は開き）に対してプラグ型コネクタアレンジメントを保護するのに、不充分であり得る。更に、単一点接続を用いて、力は、選択された方向にだけ吸収され得る。結果として、別の好都合な構成において、プラグ型コネクタ及びカウンターコネクタは、複数の場所で固定することができる複数の固定要素、例えば、３つの固定要素をそれぞれ有してよい。固定要素は、例えば、正三角形の角に配置されてよい。このような三点固定は、プラグ型コネクタ及びカウンターコネクタがあらゆる空間方向に転置するのを防ぐ。
【００２６】
プラグ型コネクタアレンジメントの組み立ての間に、コネクタを互いに締め付けることにより生じる力が接触具に過度に作用するのを防止するように、固定手段を、異なる嵌合方向において締付面上に又は締付隙間内に押し込むことができる。これらの押し込み力が接触具に作用しないように、固定手段は、押し込み力が実質的に互いに打ち消し合う様式で配置されてよい。例えば、嵌合方向は、三角形内において向かい合う方向に又は共有点に向かって配向されてよい。
【００２７】
本発明は、実施形態及び図面を参照して例によって以下に説明される。実施形態の様々な特徴は、個別の好都合な構成において上述したように、互いに独立して組み合わされてよい。
【図面の簡単な説明】
【００２８】
【図１】図１は、本発明に係るプラグ型コネクタ及び本発明に係るカウンターコネクタの実施形態の概略的な斜視図である。
【図２】図２は、本発明に係る固定要素と本発明に係る固定手段の概略的な斜視図である。
【図３】図３は、本発明に係る固定要素と本発明に係る固定手段の概略的な斜視図である。
【図４】図４は、本発明に係る固定要素と本発明に係る固定手段の概略的な斜視図である。
【図５】図５は、望ましくない非係合から保護されている本発明に係るプラグ型コネクタアレンジメントの概略的な斜視図である。
【発明を実施するための形態】
【００２９】
本発明に係るプラグ型コネクタと本発明に係るカウンターコネクタの構造及び／又は機能は、まず、図１の実施形態を参照して記載される。
【００３０】
図１は、プラグ型コネクタ１とカウンターコネクタ２を説明する。プラグ型コネクタ１とカウンターコネクタ２は、接続方向Ｖに互いに空間を置いて配置されている。プラグ型コネクタ１は、プラグ型コネクタアレンジメントを形成するように接続方向Ｖにカウンターコネクタ２と一体結合できる様式で構成されてよい。プラグ型コネクタ１及びカウンターコネクタ２は、少なくとも１つの接触具３、４をそれぞれ含み、該接触具３、４は、２つのコネクタ１、２が組み立てられた状態である場合に電気的プラグ型接続を形成することができる。
【００３１】
プラグ型コネクタ１は、少なくとも１つ、とりわけ３つの固定要素５を有してよい。固定要素５のそれぞれは、締付面６を有して設けてよく、締付面６が接続方向Ｖに対して横断方向に延在し、及びとりわけ接続方向Ｖと反対に向くように配置されてよい。収容チャンネル７は、接続方向Ｖと平行に固定要素５のそれぞれを通過して延在してよく、該収容チャンネル７は、とりわけ、締付面６を通過して延在している又は開いて（開口して）いる。収容チャンネル７は、固定要素５を接続方向Ｖに完全に通過して延在してよく、例えば、接続方向Ｖに対して横断方向の１つの側面において開いてよい又は完全に閉じて、その結果として管状に形成されてよい。
【００３２】
固定要素５は、プラグ型コネクタ１のハウジング８から接続方向Ｖに対して横断方向に突出してよく、とりわけ、固定突起又は固定棒として形成されてよい。締付面６に対して境界付けて締付面６に垂直に延在している横方向面９において、固定要素５は、係止領域Ｒを有して設けられてよく、係止領域Ｒは、接続方向Ｖに対して横断方向に延在してよい。
【００３３】
プラグ型コネクタ１は、固定手段１０とともに説明され、固定手段１０の数は、プラグ型コネクタ１の固定要素５の数に対応しており、その１つは、嵌合方向Ａにおいて、固定要素５の１つの上に少なくとも部分的に位置付けられてよく、嵌合方向Ａは、接続方向Ｖに対して横断方向に延在している。個々の固定手段１０の嵌合方向Ａは、例えば、少なくとも部分的に向かい合う様式で、異なって配向されてよい。固定手段１０がプラグ型コネクタ１とカウンターコネクタ２の組み立てを妨げない様式で固定要素５上に、とりわけ、その締付面６上に押し込まれているそれらのアセンブリ位置Ｍにおいて、固定手段１０が例示される。
【００３４】
カウンターコネクタ２は、また、固定要素１１を有してよく、その数は、プラグ型コネクタ１の固定要素５の数に対応しており、その２つの固定要素１１は、図１で示され得る。コネクタ１、２の固定要素５、１１は、それらが固定対を形成する様式で配置されてよく、該固定対は、コネクタ１、２が一体結合する場合に互いに相互作用する。カウンターコネクタ２の固定要素１１は、例えば、接続方向Ｖと反対に延在する固定部材として構成されてよい。ピン状であってよい固定部材は、コネクタ１、２が組み立てた状態である場合に、収容チャンネル７内に少なくとも部分的に配置され接続方向Ｖと反対にプラグ型コネクタ１の締付面６を少なくとも越えて突出する寸法にされてよい。
【００３５】
接続方向Ｖと反対に配向されているカウンターコネクタ２の固定要素１１の自由末端は、アンダーカット１２を有してよく、接続方向Ｖに対して横断方向に延在している締付面１３が該アンダーカット１２上に配置されている。アンダーカット１２は、例えば、固定要素１１の突出又は凹部（indentation）により、形成されてよい。締付面１３は、とりわけ、プラグ型コネクタ１の締付面１１とは反対方向に及び接続方向Ｖに向けるように配向されてよい。
【００３６】
あるいは、固定要素１１の自由末端は、締付頭１４を有して構成されてよく、接続方向Ｖに対して横断方向のその直径は、コネクタ１、２の接続作業中に収容チャンネル７内に少なくとも一時的に配置されている固定要素１１の残部の直径よりも大きい。締付面１３は、とりわけ、接続方向Ｖに配向されている締付頭７の側面に配置されてよい。接続方向Ｖに対に、締付頭１４は、周辺傾斜案内部材１５とともに構成されてよく、該部材１５は、カウンターコネクタ２の固定要素１１に対するプラグ型コネクタ１の固定要素５の嵌合を簡易化している。
【００３７】
図２〜４は、固定手段１０の１つとともにプラグ型コネクタ１の固定要素５の１つ及びカウンターコネクタ２の固定要素１１の１つを示し、拡大スケールで描かれている。
【００３８】
プラグ型コネクタ１は、図２の説明において、接触具３、４が互いに電気的に接触する様式で、接続方向Ｖにおいてカウンターコネクタ２に嵌合している。この接触位置Ｐにおいて、カウンターコネクタ２の固定要素１１は、プラグ型コネクタ１の固定要素５を通過して突出してよい。とりわけ、締付面６、１３は、接続方向Ｖにおいて互いに空間を置いて配置されてよく、少なくとも接続方向Ｖに、締付隙間Ｓを一体に境界付け、締付隙間Ｓは、接続方向Ｖに対して横断方向に延在している。
【００３９】
固定手段１０は、そのアセンブリ位置Ｍで描かれている。固定要素１１は、固定手段１０のアセンブリ位置Ｍにおいてアセンブリ凹部１６を通過して突出してよく、とりわけ、固定手段１０とぶつからずにアセンブリ凹部１６を通過して案内される。締付凹部１７は、アセンブリ凹部１６に隣接されてよく、締付凹部１７及びアセンブリ凹部１６は、締付方向Ｋに並べて配置されてよく、該方向Ｋは、接続方向Ｖに対して横断方向に及び嵌合方向Ａに対して横断方向に又は嵌合方向Ａに延在している。嵌合方向Ａに対して横断方向に及び接続方向Ｖに、締付凹部１７は、アセンブリ凹部１６よりも小さい幅を有してよく、締付凹部１７を少なくとも部分的に境界付ける固定手段１０の締付縁１８が、締付隙間Ｓ内で係合でき、収容チャンネル７とカウンターコネクタ２の締付面１３とが重なってよい。
【００４０】
アセンブリ凹部１６と締付凹部１７とが、固定手段１０のアセンブリ開口１９を一体に形成できる。アセンブリ開口１９は、嵌合方向Ａに配向されておりアセンブリ凹部１６が隣接可能な開口末端２０を有してよい。締付凹部１７は、開口末端２０から離れるように配向されているアセンブリ凹部１６の末端と隣接できる。
【００４１】
アセンブリ開口１９は、とりわけ、固定手段１０の締付部分２１を通過して延在してよい。締付部分２１の締付部材２２、２３は、接続方向Ｖに対して横断方向に及び嵌合方向Ａ又は締付方向Ｋに対して横断方向に、アセンブリ開口１９を境界付けてよい。締付部分２１は、以下に示される固定手段１０の固定位置において締付隙間Ｓ内に突出してよく、締付面６、１３を押し付けてよい。固定位置は、嵌合方向Ａにおいて、図示されたアセンブリ位置Ｍから離れてよい。固定手段１０の嵌合方向Ａへの転置がコネクタ１、２の締付をもたらす場合に嵌合方向Ａは、締付方向Ｋと一致してよい。
【００４２】
締付部分２１は、くさび状締付プレートＢとして形成されてよく、接続方向Ｖに測定される締付プレートＢの肉厚は、嵌合方向Ａに又は締付方向Ｋに減少してよい。
【００４３】
締付部分２１は、締付面６に作用する圧力ピークを防止するように、プラグ型コネクタ１の締付面６に対して少なくとも部分的に平面的に押し付けることができる。締付面６から離れるように及び接続方向に反対に配向された固定手段１０の上側面は、締付斜面２４として構成されてよく、該斜面２４は嵌合方向Ａと反対に又は締付方向Ｋと反対に締付面６から離れるように延在してよい。
【００４４】
図３は、図１及び２の実施形態を図示し、固定手段１０は、その固定位置Ｆにおいて図示される。固定位置Ｆにおいて、固定手段１０は、そのアセンブリ位置Ｍと比較して嵌合方向Ａに又は締付方向Ｋにおいて、プラグ型コネクタ１の締付面６上に更に押し付けられている。締付部分２１、特にその締付部材２２、２３は、更に締付方向Ｋに締付隙間Ｓを通過する。締付方向Ｋにおいて、締付部分２１は、より薄い導入末端２５を有してよく、該末端２５は、固定位置Ｆにおいてカウンターコネクタ２の固定要素１１の後ろに締付方向Ｋに配置されてよい。導入末端２５は、アセンブリ凹部１９と当接でき、締付部分２１の一部である。導入末端２５の締付方向Ｋの上流において、締付部分２１は、接続方向Ｖにおいて、相対的に大きく及び更に増加した肉厚とともに構成されてよい。固定位置Ｆにおいて少なくとも部分的に締付面６，１３の間に及び締付隙間Ｓ内に配置されるこの締付領域Ｄにおける肉厚は、接続方向Ｖにおいて締付隙間Ｓの程度と少なくとも一致してよい。締付縁１８と締付凹部１７の両方が、この締付領域Ｄに配置されてよい。
【００４５】
嵌合方向Ａに対して横断方向に及び接続方向Ｖに、固定手段１０は、中空円筒状になるように形成されてよく、とりわけ、プラグ型コネクタ１の固定要素５に実質的に相補的に形成されてよい。とりわけ、固定手段１０は、固定要素５を押し込むことができる固定ブロックとして構成されてよい。
【００４６】
プラグ型コネクタ１の固定要素５に対して固定手段１０を固定するのを描くことができるように、収納部Ｅとともに固定手段１０が図示される。とりわけ、固定手段１０と固定要素５との間に脱着不可能な接続がなされることを理解できるように、横方向プレート２６のみが図３に部分的に図示されている。嵌合方向Ａに向くその末端において、少なくとも横方向プレート２６は、係止領域Ｒに向く係止要素２７を有してよい。この係止要素２７は、係止領域Ｒの係止段と相互作用して、固定手段１０を、固定要素５上において少なくともアセンブリ位置Ｍに又は固定位置Ｆに、又はこれらの位置Ｍ，Ｆの間に配置された位置に、脱着不能及び転置可能に保持する。
【００４７】
図４は、嵌合方向Ａに切り取られた図３の実施形態の部分図であり、切断面は、固定要素５、１１を、実質的に中心を通過して延在している。この図において、収容チャンネル７は、接続方向Ｖに対して横断方向に、固定要素１１、とりわけ、その締付頭１４よりも大きい直径を有することがわかる。締付凹部１７は、接続方向Ｖに延在しているカウンターコネクタ２の固定要素１１の面と当接しないように構成されてよい。この例において、互いに関連する又は接触具３、４に関する固定要素５，１１の位置的許容差の発生が、接続方向Ｖに延在している固定要素１１の側面との接触をもたらさないように広くなるように、接続方向Ｖに延在している固定要素１１の側面に関して収容チャンネル７の内壁２８と締付縁１８との空間が選択される。接触具３，４への力が、これらの側面を介して接続方向に対して横断方向に伝達することは、結果的に不可能である。
【００４８】
図５は、組み立てたプラグ型コネクタ１及びカウンターコネクタ２を有するプラグ型コネクタアレンジメント２９を図示する。接触具３，４が互いに電気的に接続するように、プラグ型コネクタ１が接続方向Ｖにおいて図示された接触位置Ｐに到達するまで、プラグ型コネクタ１はカウンターコネクタ２上で嵌合してよい。固定要素５，１１は、締付面６、１３が接続方向Ｖに互いに空間を置いて接続方向Ｖに締付隙間Ｓを境界付けるように互いにしっかりと係合する。固定手段１０は、それらの嵌合又は締付方向Ａ，Ｋにおいて締付隙間Ｓ内に圧入され、締付面６，１３の間にそれぞれ押し込まれる。締付面６，１３による固定手段１０との非ポジティブロック押圧接続（non-positive-locking press-fit connection）に起因して、接続方向Ｖに対して平行な動きだけでなく接続方法Ｖに対して横断する動きも防止できる。接触具３，４の接続に対する悪影響を有する力を生じずに、コネクタ１，２の接触位置Ｐの互いのこの留めを行うことができる。
【００４９】
固定手段１０の嵌合に起因して、接続方向Ｖに対して横断する方向に生じる力が接触具３，４に働かないことをも確実にするように、嵌合又は締付方向Ａ，Ｋは、向かい合う方向に配向されてよい。固定手段１０がそれらのアセンブリ位置Ｍからそれらの固定位置Ｆに同時に移動する場合に生じるアセンブリ力は、実質的に互いに消し合える。これに関して、固定要素５，１１を対に、即ち、それぞれの場合に、固定要素５及び固定要素１１を三角形、とりわけ正三角形の角に配置することは好都合であり得る。従って、嵌合又は締付方向Ａ，Ｋは、三角形内において向かい合うように又は共有点に向かって配向してよい。
【図１】
0006025747.tif 000002
【図２】
0006025747.tif 000003
【図３】
0006025747.tif 000004
【図４】
0006025747.tif 000005
【図５】
0006025747.tif 000006